(57)【要約】【課題】混合ガスの流量を増減する際の安定性を向上させる。【解決手段】制御部５０は、混合ガスの噴出量を増加するときには、マスフローコントローラ３３に制御信号を送信して可燃性ガスの流量を増加後の目標流量にまで増加させた後に、マスフローコントローラ２３ａ、２３ｂに制御信号を送信して支燃性ガスの流量を増加後の目標流量に向けて徐々に増加させる。制御部５０は、混合ガスの噴出量を減少するときには、マスフローコントローラ２３ａ、２３ｂに制御信号を送信して支燃性ガスの流量を減少後の目標流量に向けて徐々に減少させた後に、マスフローコントローラ３３に制御信号を送信して可燃性ガスの流量を減少後の目標流量にまで減少させる。【選択図】図１
2010210161.tif 000002
【特許請求の範囲】
【請求項１】
可燃性ガスを供給するための可燃性ガス流路と、
支燃性ガスを供給するための支燃性ガス流路と、
前記可燃性ガス流路と前記支燃性ガス流路との合流箇所に設けられ、前記可燃性ガス流路から供給される可燃性ガスと前記支燃性ガス流路から供給される支燃性ガスとを混合する混合部と、
前記混合部によって混合された混合ガスを供給するための混合ガス流路と、
前記混合ガス流路から供給される前記混合ガスを噴出する火口部と、
前記混合部に供給される可燃性ガスの流量および支燃性ガスの流量を制御するガス流量制御部と、を備え、
前記ガス流量制御部は、前記混合ガスの噴出量を増加するときには、可燃性ガスの流量を増加後の目標流量にまで増加させた後に、支燃性ガスの流量を増加後の目標流量にまで増加させ、前記混合ガスの噴出量を減少するときには、支燃性ガスの流量を減少後の目標流量にまで減少させた後に、可燃性ガスの流量を減少後の目標流量にまで減少させることを特徴とする燃焼バーナ。
【請求項２】
前記ガス流量制御部は、前記支燃ガスの流量を増減させるときに、前記混合ガスの噴出速度が前記混合ガスの燃焼速度以下にならない範囲で前記支燃ガスの流量を制御することを特徴とする請求項１記載の燃焼バーナ。
【請求項３】
前記支燃ガスの流量を減少させる際の減少速度は、前記混合ガス流路の容積に応じて予め設定されることを特徴とする請求項１または２記載の燃焼バーナ。
【発明の詳細な説明】
【技術分野】
【０００１】
本発明は、可燃性ガスと支燃性ガスとを混合した混合ガスを燃焼する燃焼バーナに関する。
【背景技術】
【０００２】
燃焼バーナには、予め可燃性ガスと支燃性ガスとを燃焼に最適な比率で混合した混合ガスを火口から噴出させて燃焼させる予混合燃焼バーナがある（例えば、特許文献１参照）。この予混合燃焼バーナは、火口に混合ガスを供給するガス流路を１本にすることができるため、例えば先混合燃焼バーナのように、可燃性ガスと支燃性ガスとを別々に火口に供給する複数のガス流路を有する燃焼バーナに比べて構成を簡素にすることができるという利点があり、燃焼バーナの需要に占める割合は大きい。
【先行技術文献】
【特許文献】
【０００３】
【特許文献１】特開２００６−２４２３９９号公報
【発明の概要】
【発明が解決しようとする課題】
【０００４】
ところで、予混合燃焼バーナで混合ガスを燃焼させているときには、燃焼バーナの配管内にも混合ガスが存在することになる。したがって、混合ガスの燃焼速度が混合ガスの噴出速度を上回ると、炎が配管内の混合ガスに伝播する、いわゆる逆火が発生するおそれが生ずる。それゆえに、予混合燃焼バーナでは、混合ガスの燃焼速度と混合ガスの噴出速度とが釣り合うように、可燃性ガスと支燃性ガスとの供給流量を制御して安定燃焼を実現させている。ところが、燃焼量を調節するために可燃性ガスと支燃性ガスの流量を目標値まで急激に増減させると、混合ガスの燃焼速度や噴出速度が変動するため、燃焼速度と噴出速度とのバランスが一時的に崩れ、混合ガスの燃焼速度が混合ガスの噴出速度を上回ることも考えられる。
【０００５】
そこで、本発明は、上述した従来技術による問題点を解消するためになされたものであり、混合ガスの流量を増減する際の安定性を向上させることができる燃焼バーナを提供することを目的とする。
【課題を解決するための手段】
【０００６】
本発明に係る燃焼バーナは、可燃性ガスを供給するための可燃性ガス流路と、支燃性ガスを供給するための支燃性ガス流路と、可燃性ガス流路と支燃性ガス流路との合流箇所に設けられ、可燃性ガス流路から供給される可燃性ガスと支燃性ガス流路から供給される支燃性ガスとを混合する混合部と、混合部によって混合された混合ガスを供給するための混合ガス流路と、混合ガス流路から供給される混合ガスを噴出する火口部と、混合部に供給される可燃性ガスの流量および支燃性ガスの流量を制御するガス流量制御部と、を備え、上記ガス流量制御部は、混合ガスの噴出量を増加するときには、可燃性ガスの流量を増加後の目標流量にまで増加させた後に、支燃性ガスの流量を増加後の目標流量にまで増加させ、混合ガスの噴出量を減少するときには、支燃性ガスの流量を減少後の目標流量にまで減少させた後に、可燃性ガスの流量を減少後の目標流量にまで減少させる。
【０００７】
かかる構成を採用することで、混合ガスの噴出量を増加するときには、可燃性ガスの流量を増加後の目標流量にまで増加させた後に、混合ガスの燃焼速度が混合ガスの噴出速度以下となる状態を維持させながら、支燃性ガスの流量を目標流量に向けて徐々に増加させることが可能となる。また、混合ガスの噴出量を減少するときには、支燃性ガスの流量を減少後の目標流量にまで減少させた後に、混合ガスの燃焼速度が混合ガスの噴出速度以下となる状態を維持させながら、可燃性ガスの流量を目標流量に向けて徐々に低下させることが可能となる。すなわち、燃焼速度を上昇させる要因となる支燃性ガスの流量を抑えながら混合ガスの噴出量を増減させることができるため、混合ガスの燃焼速度が混合ガスの噴出速度を上回る事態を抑制することが可能となり、逆火を防止することができる。
【発明の効果】
【０００８】
本発明によれば、混合ガスの流量を増減する際の安定性を向上させることが可能な燃焼バーナを提供することができる。
【図面の簡単な説明】
【０００９】
【図１】実施形態における予混合燃焼バーナシステムの構成を模式的に例示する図である。
【図２】可燃性ガスと支燃性ガスの供給量制御を説明するためのシーケンスチャートである。
【発明を実施するための形態】
【００１０】
以下、図面を参照して本発明の実施の形態を説明する。本実施形態では、本発明に係る燃焼バーナを、例えばガラスワークの加工等に用いる予混合燃焼バーナシステムに適用した場合について説明する。ただし、以下に説明する実施形態は、あくまでも例示であり、以下に明示しない種々の変形や技術の適用を排除する意図はない。すなわち、本発明は、その趣旨を逸脱しない範囲で種々変形して実施することができる。また、図面は模式的なものであるため、具体的な寸法等は以下の説明を照らし合わせて判断するべきものである。
【００１１】
まず、図１を参照して、実施形態における予混合燃焼バーナシステムの構成について説明する。図１は、実施形態における予混合燃焼バーナシステムの構成を模式的に例示した図である。
【００１２】
同図に示すように、予混合燃焼バーナシステム１は、支燃性ガスである酸素および空気と可燃性ガスとを混合した混合ガスを外部に噴出する火口部１０と、支燃性ガスを火口部１０側に供給する支燃性ガス配管系２０と、可燃性ガスを火口部１０側に供給する可燃性ガス配管系３０と、混合ガスを火口部１０に供給する混合ガス配管系４０と、予混合燃焼バーナシステム全体を統括制御する制御部５０と、を有する。可燃性ガスとしては、例えば、水素（Ｈ2）、メタン（ＣＨ4）、プロパン（Ｃ3Ｈ8）、ブタン（Ｃ4Ｈ10）、１３Ａ都市ガス等が該当する。
【００１３】
支燃性ガス配管系２０は、支燃性ガスを火口部１０側に供給するための支燃性ガス流路２１を有する。この支燃性ガス流路２１には、酸素を供給するための酸素流路２１ａと、空気を供給するための空気流路２１ｂとが含まれる。酸素流路２１ａには、レギュレータ２２ａと、マスフローコントローラ２３ａと、遮断弁２４ａと、逆止弁２５ａとが設けられ、空気流路２１ｂには、レギュレータ２２ｂと、マスフローコントローラ２３ｂと、遮断弁２４ｂと、逆止弁２５ｂとが設けられている。酸素流路２１ａと空気流路２１ｂとの合流箇所には、酸素流路２１ａから供給される酸素と空気流路２１ｂから供給される空気とを混合するミキサー２６が設けられている。マスフローコントローラ２３ａは、酸素流路２１ａを流れる酸素の流量を計測し、酸素の流量が目標流量になるように制御する流量コントローラである。マスフローコントローラ２３ｂは、空気流路２１ｂを流れる空気の流量を計測し、空気の流量が目標流量になるように制御する流量コントローラである。
【００１４】
可燃性ガス配管系３０は、可燃性ガスを火口部１０側に供給するための可燃性ガス流路３１を有する。この可燃性ガス流路３１には、レギュレータ３２と、マスフローコントローラ３３と、遮断弁３４と、逆止弁３５とが設けられている。マスフローコントローラ３３は、可燃性ガス流路３１を流れる可燃性ガスの流量を計測し、可燃性ガスの流量が目標流量になるように制御する流量コントローラである。
【００１５】
ここで、上述した酸素、空気および可燃性ガスのそれぞれの目標流量は、例えば、以下のように決定することができる。まず、混合ガスには燃焼可能な空燃比の範囲が存在するため、混合ガスが燃焼可能な空燃比の範囲内に混合ガスの目標空燃比を予め設定しておく。空燃比とは空気と可燃性ガスとの比率をいう。また、予混合燃焼バーナシステム１で指定可能な燃焼強度に対応する混合ガスの適正流量を予め設定しておく。続いて、例えば使用者によって燃焼強度が指定された場合に、指定された燃焼強度に対応する混合ガスの適正流量と、混合ガスの目標空燃比とを用いて、混合ガスの適正流量を達成するために必要となる酸素、空気および可燃性ガスのそれぞれの流量を算出する。これにより、酸素、空気および可燃性ガスのそれぞれの目標流量を決定することができる。
【００１６】
支燃性ガス配管系２０と可燃性ガス配管系３０との合流箇所には、支燃性ガス流路２１から供給される支燃性ガスと可燃性ガス流路３１から供給される可燃性ガスとを混合するミキサー４２（混合部）が設けられている。混合ガス配管系４０は、ミキサー４２と、ミキサー４２から供給される混合ガスを火口部１０に供給するための混合ガス流路４１とを有する。
【００１７】
制御部５０は、混合ガスの噴出量を増加するときには、マスフローコントローラ３３に制御信号を送信して可燃性ガスの流量を増加後の目標流量にまで増加させた後に、マスフローコントローラ２３ａ、２３ｂに制御信号を送信して支燃性ガスの流量を増加後の目標流量にまで増加させる。マスフローコントローラ２３ａ、２３ｂは、支燃性ガスの流量を増加させる際に、混合ガスの燃焼速度が混合ガスの噴出速度以下となる状態を維持させながら、支燃性ガスの流量を目標流量に向けて徐々に増加させる。
【００１８】
ここで、可燃性ガスと支燃性ガスとを混合した混合ガスでは、混合ガスに占める支燃性ガスの割合が高くなるほど、混合ガスの燃焼速度が速くなる関係にある。したがって、混合ガスを増加させる際に、支燃性ガスを一気に増加させてしまうと、混合ガスの燃焼速度が急速に上昇してしまい、場合によっては、混合ガスの燃焼速度が混合ガスの噴出速度を上回り、逆火に至る可能性がある。
【００１９】
そこで、本願発明では、混合ガスの噴出量を増加させるときには、まず、可燃性ガスのみを先に増加後の目標流量にまで増加させている。これにより、混合ガスの噴出量が増加し、混合ガスに占める支燃性ガスの割合が低下するため、混合ガスの噴出速度が上昇し、混合ガスの燃焼速度が低下して、逆火が発生し難い環境に移行させることができる。
【００２０】
続いて、混合ガスの燃焼速度が混合ガスの噴出速度を上回らないように支燃性ガスの流量を増加後の目標流量に向けて徐々に増加させている。これにより、混合ガスに占める支燃性ガスの割合が目標空燃比に占める支燃性ガスの割合（適正値）よりも低い状態で支燃性ガスの流量を徐々に増加させることができるため、混合ガスの燃焼速度を抑えた状態で、混合ガスの噴出速度を徐々に上昇させつつ、混合ガスの燃焼速度も徐々に上昇させることができる。
【００２１】
これらの結果、燃焼速度を上昇させる要因となる支燃性ガスの流量を抑えながら混合ガスの噴出量を増加させることができるため、混合ガスの燃焼速度が混合ガスの噴出速度を上回る事態を抑制することが可能となり、逆火を防止することができる。
【００２２】
制御部５０は、混合ガスの噴出量を減少するときには、マスフローコントローラ２３ａ、２３ｂに制御信号を送信して支燃性ガスの流量を減少後の目標流量にまで減少させた後に、マスフローコントローラ３３に制御信号を送信して可燃性ガスの流量を減少後の目標流量にまで減少させる。マスフローコントローラ２３ａ、２３ｂは、支燃性ガスの流量を減少させる際に、混合ガスの燃焼速度が混合ガスの噴出速度以下となる状態を維持させながら、支燃性ガスの流量を目標流量に向けて徐々に減少させる。
【００２３】
ここで、混合ガスの噴出量を減少させるときには、上述した混合ガスの噴出量を増加させるときと同様に、混合ガスの燃焼速度を低下させて、逆火が発生し難い環境に移行させることが望ましい。これを実現するためには、支燃性ガスの流量を先に減少後の目標流量にまで減少させて混合ガスの燃焼速度を低下させることができればよい。
【００２４】
しかしながら、混合ガスの噴出量を減少させる場合には、減少前に既に混合された混合ガスが混合ガス流路４１内に供給されているため、単に、支燃性ガスの供給流量を減少させることとしただけでは、混合ガスの噴出速度と混合ガスの燃焼速度とのバランスが崩れてしまうことがある。具体的に説明すると、混合ガス流路４１内に既に供給されている混合ガスは、減少前の混合状態で燃焼速度と噴出速度とが釣り合うように調整されているところ、このような状況で、支燃性ガスの供給流量を一気に減少させてしまうと、混合ガスの噴出速度が急速に低下してしまい、場合によっては、混合ガスの噴出速度が混合ガスの燃焼速度を下回り、逆火に至る可能性がある。
【００２５】
そこで、本願発明では、混合ガスの噴出量を減少させるときには、まず、混合ガスの噴出速度が混合ガスの燃焼速度を下回らないように支燃性ガスの流量を減少後の目標流量に向けて徐々に減少させている。これにより、混合ガスの噴出量が徐々に低下し、混合ガスに占める支燃性ガスの割合が徐々に低下するため、混合ガスの噴出速度を徐々に低下させながら、混合ガスの燃焼速度を低下させることができ、逆火が発生し難い環境に移行させることができる。
【００２６】
続いて、可燃性ガスを減少後の目標流量にまで減少させることとしている。これにより、混合ガスに占める支燃性ガスの割合が目標空燃比に占める支燃性ガスの割合よりも低い状態で可燃性ガスの流量を減少させることができるため、混合ガスの燃焼速度を抑えた状態で混合ガスの噴出速度を低下させることができる。
【００２７】
これらの結果、燃焼速度を上昇させる要因となる支燃性ガスの流量を抑えながら混合ガスの噴出量を減少させることができるため、混合ガスの燃焼速度が混合ガスの噴出速度を上回る事態を抑制することが可能となり、逆火を防止することができる。
【００２８】
なお、支燃性ガスの流量を減少させる際の減少速度は、混合ガス流路４１の容積に応じて予め設定しておくことができる。具体的には、混合ガス流路４１の容積が大きいほど、混合ガス流路４１内に収容される混合ガスの量が多くなることから、混合ガス流路４１の容積が大きいほど、支燃性ガスの流量を減少させる際の減少速度が遅くなるように設定することができる。
【００２９】
また、支燃性ガスの流量を増減させる割合は、必ずしも直線的に変化させる必要はない。つまり、支燃性ガスの流量の増加速度・減少速度は、一定の度合いで増減させる必要はなく、増減の度合いを変動させながら支燃性ガスの流量を増減させることとしてもよい。また、支燃性ガスの流量の増加速度・減少速度は、増減させる区間ごとに異なることとしてもよい。
【００３０】
制御部５０は、物理的には、例えば、ＣＰＵと、メモリと、入出力インターフェースとを有する。メモリには、例えば、ＣＰＵで処理される制御プログラムや制御データを記憶するＲＯＭと、主として制御処理のための各種作業領域として使用されるＲＡＭとが含まれる。これらの要素は、互いにバスを介して接続されている。ＣＰＵは、ＲＯＭに記憶された制御プログラムを実行し、入出力インターフェースを介して受信される各種データやＲＡＭ内の制御データ等を用いて演算し、マスフローコントローラ２３ａ、２３ｂ、３３や、ミキサー２６、４２等に制御信号を送信することで、支燃性ガスや可燃性ガスの供給流量等を制御する。
【００３１】
なお、上述した制御部５０と、マスフローコントローラ２３ａ、２３ｂ、３３とで、ミキサー４２に供給される可燃性ガスの流量および支燃性ガスの流量を制御するガス流量制御部を構成する。ガス流量制御部は、本実施形態で例示するように、それぞれを別体の要素として構成することとしてもよいが、これに限定されず、例えば、全てを一体の要素として構成してもよいし、それぞれを適宜組み合わせて複数の要素により構成することとしてもよい。
【００３２】
次に、図２を参照して、本実施形態における予混合燃焼バーナシステム１の支燃性ガスおよび可燃性ガスの供給流量制御の内容について説明する。図２は、可燃性ガスと支燃性ガスの供給流量制御を説明するためのシーケンスチャートである。このシーケンスチャートは、時間Ｔ１で予混合燃焼バーナシステム１を起動させてから、時間Ｔ９で予混合燃焼バーナシステム１を停止させるまでの間の可燃性ガスの供給流量Ａおよび支燃性ガスの供給流量Ｂの変動状態を例示するものである。したがって、時間Ｔ１よりも前の期間および時間Ｔ９よりも後の期間は、可燃性ガスの供給流量Ａおよび支燃性ガスの供給流量Ｂは、ともに０となる。
【００３３】
最初に、時間Ｔ１において、予混合燃焼バーナシステム１が起動すると、可燃性ガスの供給のみを開始する。具体的に説明すると、マスフローコントローラ３３は、最小の燃焼強度に対応付けてメモリに記憶されている可燃性ガスの流量を目標流量に設定し、可燃性ガスの供給を開始する。可燃性ガスのみを燃焼させた場合には逆火が生じないため、可燃性ガスのみを先に供給することで、逆火が発生しない環境で点火させることができる。
【００３４】
続いて、時間Ｔ２において、火口部１０から噴出する可燃性ガスに着火すると同時に、支燃性ガスの供給を開始する。具体的に説明すると、制御部５０は、火口部１０に点火用の火炎を点灯させることで、火口部１０から噴出する可燃性ガスに着火して可燃性ガスを燃焼させる。このように、最小の燃焼強度の状態で点火することによって、可燃性ガスの供給量を最小限に抑えた状態で点火することができるため、例えば可燃性ガスへの着火が遅れた場合であっても、可燃性ガスが大量に放出されてしまうことを防止することができ、点火時の安定性を向上させることができる。
【００３５】
点火と同時に、マスフローコントローラ２３ａ、２３ｂは、最小の燃焼強度に対応付けてメモリに記憶されている支燃性ガスの流量を目標流量に設定し、時間Ｔ２から時間Ｔ３までの間に支燃性ガスの供給流量Ｂを目標流量に向けて徐々に増加させていく。これにより、混合ガスに占める支燃性ガスの割合が目標空燃比に占める支燃性ガスの割合よりも低い状態で支燃性ガスの流量を徐々に増加させることができるため、混合ガスの燃焼速度を抑えた状態で、混合ガスの噴出量を最小の燃焼強度に応じた適正噴出量にまで増加させることができる。
【００３６】
続いて、時間Ｔ４において、使用者によって燃焼強度を上げる操作が行われると、可燃性ガスの供給流量Ａおよび支燃性ガスの供給流量Ｂを増加する。具体的に説明すると、マスフローコントローラ３３は、使用者によって指定された燃焼強度に対応付けてメモリに記憶されている可燃性ガスの流量を目標流量に設定し、可燃性ガスの供給流量Ａを、設定した目標流量に増加させる。これにより、混合ガスの噴出量が増加し、混合ガスに占める支燃性ガスの割合が低下するため、混合ガスの噴出速度が上昇し、混合ガスの燃焼速度が低下して、逆火が発生し難い環境に移行させることができる。
【００３７】
一方、マスフローコントローラ２３ａ、２３ｂは、使用者によって指定された燃焼強度に対応付けてメモリに記憶されている支燃性ガスの流量を目標流量に設定し、時間Ｔ４から時間Ｔ５までの間に支燃性ガスの供給流量Ｂを目標流量に向けて徐々に増加させていく。これにより、混合ガスに占める支燃性ガスの割合が目標空燃比に占める支燃性ガスの割合よりも低い状態で支燃性ガスの流量を徐々に増加させることができるため、混合ガスの燃焼速度を抑えた状態で、混合ガスの噴出量を使用者によって指定された燃焼強度に応じた適正噴出量にまで増加させることができる。
【００３８】
続いて、時間Ｔ６において、使用者によって燃焼強度を下げる操作が行われると、支燃性ガスの供給流量Ｂのみを減少する。具体的に説明すると、マスフローコントローラ２３ａ、２３ｂは、使用者によって指定された燃焼強度に対応付けてメモリに記憶されている支燃性ガスの流量を目標流量に設定し、時間Ｔ６から時間Ｔ７までの間に支燃性ガスの供給流量Ｂを目標流量に向けて徐々に減少させていく。これにより、混合ガスの噴出量が徐々に低下し、混合ガスに占める支燃性ガスの割合が徐々に低下するため、混合ガスの噴出速度を徐々に低下させながら、混合ガスの燃焼速度を低下させることができ、逆火が発生し難い環境に移行させることができる。
【００３９】
続いて、時間Ｔ７において、マスフローコントローラ３３は、使用者によって指定された燃焼強度に対応付けてメモリに記憶されている可燃性ガスの流量を目標流量に設定し、可燃性ガスの供給流量Ａを、設定した目標流量に減少させる。これにより、混合ガスに占める支燃性ガスの割合が目標空燃比に占める支燃性ガスの割合よりも低い状態で可燃性ガスの流量を減少させることができるため、混合ガスの燃焼速度を抑えた状態で、混合ガスの噴出量を使用者によって指定された燃焼強度に応じた適正噴出量にまで減少させることができる。
【００４０】
続いて、時間Ｔ８において、使用者によって消火時の操作が行われると、支燃性ガスの供給流量Ｂのみを減少する。具体的に説明すると、マスフローコントローラ２３ａ、２３ｂは、支燃性ガスの目標流量を０に設定し、時間Ｔ８から時間Ｔ９までの間に支燃性ガスの供給流量Ｂを０に向けて徐々に減少させていく。これにより、予混合燃焼バーナシステム１を消火するときに、混合ガスに占める支燃性ガスの割合を０にすることができるため、逆火が発生し難い環境に移行させながら消火処理を進行させることができる。
【００４１】
続いて、時間Ｔ９において、マスフローコントローラ３３は、可燃性ガスの目標流量を０に設定し、可燃性ガスの供給流量Ａを０に減少させる。これにより、混合ガスの燃焼速度を抑えた状態で、混合ガスの噴出量を０にまで減少させることができる。
【００４２】
上述してきたように、本実施形態における予混合燃焼バーナシステム１によれば、混合ガスの噴出量を増加するときには、可燃性ガスの流量を増加後の目標流量にまで増加させた後に、支燃性ガスの流量を増加後の目標流量にまで増加させることができるため、混合ガスの燃焼速度が混合ガスの噴出速度以下となる状態を維持させながら、支燃性ガスの流量を目標流量に向けて徐々に増加させることが可能となる。
【００４３】
一方、混合ガスの噴出量を減少するときには、支燃性ガスの流量を減少後の目標流量にまで減少させた後に、可燃性ガスの流量を減少後の目標流量にまで減少させることができるため、混合ガスの燃焼速度が混合ガスの噴出速度以下となる状態を維持させながら、可燃性ガスの流量を目標流量に向けて徐々に低下させることが可能となる。
【００４４】
これにより、燃焼速度を上昇させる要因となる支燃性ガスの流量を抑えながら混合ガスの噴出量を増減させることができるため、混合ガスの燃焼速度が混合ガスの噴出速度を上回る事態を抑制することが可能となり、逆火を防止することができる。
【００４５】
なお、上述した実施形態における予混合燃焼バーナシステム１に、バックアップ電源システムを搭載し、例えば停電時に予混合燃焼バーナシステム１に電力が供給されなくなった場合に、予混合燃焼バーナシステム１の電力源をバックアップ電源システムに切り替え、上述した図２の時間Ｔ８から時間Ｔ９の間に行われる消火処理を実行することとしてもよい。これにより、不慮の事故が発生して予混合燃焼バーナシステム１に電力が供給されなくなった場合であっても、逆火を起こすことなく安全に予混合燃焼バーナシステム１を消火させることができる。
【符号の説明】
【００４６】
１…予混合燃焼バーナシステム、１０…火口部、２０…支燃性ガス配管系、２１…支燃性ガス流路、２１ａ…酸素流路、２１ｂ…空気流路、２２ａ、２２ｂ…レギュレータ、２３ａ、２３ｂ…マスフローコントローラ、２４ａ、２４ｂ…遮断弁、２５ａ、２５ｂ…逆止弁、２６…ミキサー、３０…可燃性ガス配管系、３１…可燃性ガス流路、３２…レギュレータ、３３…マスフローコントローラ、３４…遮断弁、３５…逆止弁、４０…混合ガス配管系、４１…混合ガス流路、４２…ミキサー、５０…制御部。
【図１】
2010210161.tif 000003
【図２】
2010210161.tif 000004